(57)【要約】      （修正有）【課題】ウイルス感染者（使用者）の呼気に対しその呼気に含まれるウイルスを積極的に滅菌してウイルスの広がりを確かに防止することができると共にウイルス感染者の生活の質を損なうことなく可能な限り安全に日常生活を送らせることができる滅菌フード装置を提供する。【解決手段】滅菌フード装置１０は、使用者の頭部を覆うためのフード本体１１と、フード本体１１に形成される排気孔１２と、排気孔１２に連結してフード本体１１の内部の空気をその外部に排出するための排気管１３（排気路）と、排気管１３に取り付けられ、排気管１３の吸入口から排気管１３の排気口に向けて空気を送るためのファンと、排気管１３に取り付けられ、ファンによって送られる空気を加熱するためのヒータと、を有する。【選択図】図４
0003229805.tif 000002
【実用新案登録請求の範囲】
【請求項１】
使用者の頭部を覆うためのフード本体と、
前記フード本体に形成される排気孔と、
前記排気孔に連結して前記フード本体の内部の空気をその外部に排出するための排気路と、
前記排気路に取り付けられ、前記排気路の吸入口から前記排気路の排気口に向けて空気を送るためのファンと、
前記排気路に取り付けられ、前記ファンによって送られる空気を加熱するためのヒータと、を有する、
滅菌フード装置。
【請求項２】
前記ヒータは、熱電線を含んで設けられる、
請求項１に記載の滅菌フード装置。
【請求項３】
前記フード本体に形成され、前記フード本体の外部空間と内部空間との間を通気するための通気孔と、
前記通気孔を被覆して前記フード本体に貼設されるフィルターと、を更に有する、
請求項１又は２に記載の滅菌フード装置。
【請求項４】
前記フード本体の下部に取り付けられ、少なくとも前記使用者の頸部の周囲を覆うためのフードスカートと、を更に有する、
請求項１〜３のいずれか１つに記載の滅菌フード装置。
【考案の詳細な説明】
【技術分野】
【０００１】
本考案は、使用者の呼気に対しその呼気に含まれるウイルスを滅菌して外部に排出する滅菌フード装置に関する。
【背景技術】
【０００２】
近年、新型コロナウイルスやインフルエンザなどのウイルスによる感染病が世界的に広がりをみせており、社会的な問題となっている。感染の広がりを早急に封じ込めることが求められる。
【０００３】
ここで、マスクは口と鼻を覆うことで粒子が体内に侵入したり、又は咳（せき）やクシャミの飛沫（ひまつ）が体内外に侵入、飛散したりするのを抑制するために用いられる。特に、ウイルスの感染者がマスクを着用することで飛沫が飛散するのを防止するので、マスクはウイルス感染の広がりを防止するのに有効とされる。
【０００４】
マスクの多機能化も進んでおり、殺菌作用を有する殺菌マスクも知られる（例えば特許文献１参照）。この殺菌マスクは、銀含有繊維と竹繊維を含む殺菌層と、第１フィルター層と、第２フィルター層と、外表層とを含んで構成される。第１フィルター層は、ナノファイバー繊維である。殺菌層は、複数の銀イオン、特にナノオーダーの銀イオンを含んで構成される。
【０００５】
銀イオンは、正電荷であるため、銀イオンがウイルスと接触した後、ウイルス体内のタンパク質の負電荷と結合してウイルスの細胞膜に浸透してウイルス体内に入ることが知られる。すなわち、ウイルスに入った銀イオンは、細菌内のタンパク質を変化させてウイルスに代謝、呼吸、生殖機能を失わせ、殺菌を死滅させる。殺菌が死滅した後、銀イオンはまだ他の細菌に影響を及ぼし、それによって殺菌の機能を継続して実現するとされる。
【先行技術文献】
【特許文献】
【０００６】
【特許文献１】実用新案登録第３２２３７０７号公報
【考案の概要】
【考案が解決しようとする課題】
【０００７】
ところで、マスクは一般的に、その使用者の顔とマスクとの間に隙間が発生してウイルスを含んだ飛沫の飛散を完全に防止するのは困難であり、その効果は限定的といわれる。また、特許文献１の滅菌マスクは、銀イオンを用いて飛沫などに含まれるウイルスを滅菌できるものの、その作用は積極的なものではなく、一度に多くの飛沫が発生した場合や飛沫が頻繁に発生した場合など、その滅菌作用が不十分となる可能性がある。改善の余地があった。また、例えば新型コロナウイルスの場合、その感染者は感染防止のため入院や自宅療養を余儀なくされ、たとえ軽症でも行動が制限されていた。
【０００８】
本考案は、上述した課題に鑑みてなされたものであり、その目的は、ウイルス感染者（使用者）の呼気に対しその呼気に含まれるウイルスを積極的に滅菌してウイルスの広がりを確かに防止することができると共にウイルス感染者の生活の質を損なうことなく可能な限り安全に日常生活を送らせることができる滅菌フード装置を提供することにある。
【課題を解決するための手段】
【０００９】
本考案の上述した目的は、下記の構成により達成される。
（１）使用者の頭部を覆うためのフード本体と、前記フード本体に形成される排気孔と、前記排気孔に連結して前記フード本体の内部の空気をその外部に排出するための排気路と、前記排気路に取り付けられ、前記排気路の吸入口から前記排気路の排気口に向けて空気を送るためのファンと、前記排気路に取り付けられ、前記ファンによって送られる空気を加熱するためのヒータと、を有する、滅菌フード装置。
（２）前記ヒータは、熱電線を含んで設けられる、（１）に記載の滅菌フード装置。
（３）前記フード本体に形成され、前記フード本体の外部空間と内部空間との間を通気するための通気孔と、前記通気孔を被覆して前記フード本体に貼設されるフィルターと、を更に有する、（１）又は（２）に記載の滅菌フード装置。
（４）前記フード本体の下部に取り付けられ、少なくとも前記使用者の頸部の周囲を覆うためのフードスカートと、を更に有する、（１）〜（３）のいずれか１つに記載の滅菌フード装置。
【００１０】
上記（１）の構成によれば、排気路に取り付けられ、排気路の吸入口から排気路の排気口に向けて空気の送るためのファンと、排気路に取り付けられ、ファンによって送られる空気を加熱するためのヒータと、を有する。これにより、フード本体の内部空間の空気をその外部に排出する際、使用者が例えばウイルスに感染した場合でもその呼気を加熱してその呼気に含まれるウイルスを死滅させることができる。その結果、ウイルス感染者（使用者）の呼気に対しその呼気に含まれるウイルスを積極的に滅菌してウイルスの広がりを確かに防止することができると共にウイルス感染者の生活の質を損なうことなく可能な限り安全に日常生活を送らせることができる。
上記（２）の構成によれば、ヒータは、熱電線を含んで設けられる。このため、ウイルス感染者（使用者）の呼気に対しその呼気に含まれるウイルスをより確かに死滅させることができる。
上記（３）の構成によれば、フード本体に形成され、フード本体の外部空間と内部空間との間を通気するための通気孔と、通気孔を被覆してフード本体に貼設されるフィルターと、を更に有する。このため、使用者の頭髪、塵埃（じんあい）などの異物がフード本体の内部空間から外部空間に飛散するのを抑制すると共に、使用者の息苦しさが発生するのを抑制して装置の快適性を高めることができる。
上記（４）の構成によれば、フード本体の下部に取り付けられ、少なくとも使用者の頸部の周囲を覆うためのフードスカートと、を更に有する。このため、使用者の頭髪、塵埃などの異物がフード本体の内部空間から外部空間に飛散するのをより確かに抑制することができる。また、頸部での気密性を高めて、頸部からのフード本体の内部空間への空気の流入を防止することができる。
【考案の効果】
【００１１】
本考案によれば、ウイルス感染者（使用者）の呼気に対しその呼気に含まれるウイルスを積極的に滅菌してウイルスの広がりを確かに防止することができると共にウイルス感染者の生活の質を損なうことなく可能な限り安全に日常生活を送らせることができる。
【００１２】
以上、本考案について簡潔に説明した。更に、以下に説明される考案を実施するための形態（以下「実施形態」という。）を添付の図面を参照して通読することにより、本考案の詳細は更に明確化されるだろう。
【図面の簡単な説明】
【００１３】
【図１】図１は、本考案に係る実施形態の滅菌フード装置を説明する正面図である。
【図２】図２は、図１に示す滅菌フード装置の構成を説明する側面図である。
【図３】図３は、図１に示す通気孔及びフィルターの構成を説明する要部拡大図である。
【図４】図４は、図１に示す滅菌フード装置の構成を説明する斜視図である。
【図５】図５は、図１に示す排気管の内部構成を説明する縦断面図である。
【図６】図６は、図１に示す滅菌フード装置のシステム構成を説明するブロック図である。
【考案を実施するための形態】
【００１４】
以下、図面に基づいて、本考案に係る滅菌フード装置に関する実施形態について詳細に説明する。
ただし、必要以上に詳細な説明は省略する場合がある。例えば、すでによく知られた事項の詳細説明や実質的に同一の構成に対する重複説明を省略する場合がある。これは、以下の説明が不必要に冗長になるのを避け、当業者の理解を容易にするためである。
なお、添付図面及び以下の説明は、当業者が本開示を十分に理解するために提供されるのであって、これらにより実用新案登録請求の範囲に記載の主題を限定することは意図されていない。また、各図面は符号の向きに合わせて視るものとする。
【００１５】
＜滅菌フード装置の全体構成について＞
まず図１〜図４を参照しながら、本実施形態に係る滅菌フード装置１０の全体構成について説明する。図１は、本実施形態の滅菌フード装置１０を説明する正面図である。図２は、図１に示す滅菌フード装置１０の構成を説明する側面図である。図３は、図１に示す通気孔１６及びフィルター１７の構成を説明する要部拡大図である。図４は、図１に示す滅菌フード装置１０の構成を説明する斜視図である。
【００１６】
本実施形態の滅菌フード装置１０は、ウイルス感染者（使用者）の呼気に対しその呼気に含まれるウイルスを積極的に滅菌してウイルス感染者が健常者と同一空間内で一緒に日常活動を可能な限り行うために着用・使用される。
【００１７】
図１〜図４に示すように、本実施形態の滅菌フード装置１０は、フード本体１１と、排気孔１２と、排気管１３（排気路）と、ファン１４と、ヒータ１５と、を含んで構成される（図５も合わせて参照）。また、本実施形態の滅菌フード装置１０は、通気孔１６と、フィルター１７と、フードスカート１８を更に含む。
【００１８】
フード本体１１は、有底円筒状の樹脂容器からなり、下側に開口部１１Ａが配置される。フード本体１１は下側の開口部１１Ａを通じてその使用者に被られ、被られた状態では使用者の頭部及びその頸部の上側を覆う。また、フード本体１１は、透明樹脂材料により全体的に設けられており、使用者がフード本体１１の外部を視認可能である。フード本体１１は、ポリエステル（ポリエチレンテレフタレート）などの合成樹脂材からなり射出成形により一体に形成される。
【００１９】
なお、本実施形態ではフード本体１１の全体が透明に設けられるがこれに限定されない。例えば、フード本体１１の正面側の中央部に窓枠部が形成され、この窓枠部以外の部分は不透明に設けられてもよい。この場合、窓枠部は使用者の顔面を臨むように配置され、この窓枠部にシールドが貼設されるとよい。シールドは、透明樹脂からなる保護部材であり、使用者の顔面を視認可能に窓枠部の全部を被覆する。
【００２０】
排気孔１２は、略楕円状に形成されており、フード本体１１の上側においてその一側面部に配置される。また、排気管１３は合成樹脂材料から筒状に形成され、その両端部に吸入口及び排気口を有する。筒状の排気管１３は排気孔１２に挿嵌されてその中間部で排気孔１２に連結される。すなわち、排気管１３はフード本体１１から長手方向でその一部分がその外部に露出した状態で排気孔１２に固定される。これにより、排気管１３は、フード本体１１の内部の空気をその外部に排出することが可能である。
なお、排気管１３及び排気孔１２の連結部分には接着剤がその周方向に亘って塗布されて排気管１３は排気孔１２に固着される。また、この接着剤がシール部材として排気管１３及び排気孔１２の連結部分の隙間を封止し、この連結部分からフード本体１１の内部の空気が外部に漏れないように防止する。
【００２１】
通気孔１６は、矩形状に形成されており、フード本体１１の下側においてその背面部に配置される。通気孔１６は、フード本体１１の外部空間と内部空間との間を通気する。フィルター１７は、通気孔１６の外形よりも一回り大きく矩形状に形成されており、この通気孔１６の全部を被覆してフード本体１１に貼設される。具体的には、フィルター１７は、通気孔１６の周縁部に塗布された接着材などによってフード本体１１に固着される。また、フィルター１７は多層構造のシート部材であり、複数のフィルター層が重層されて設けられる。フィルター層それぞれは、例えばナノファイバー繊維又は不織布などを含んで構成され、例えばウイルス及びＰＭ２．５粒子などの大部分の不良物質を捕捉する。
【００２２】
フードスカート１８は、フード本体１１の下側周縁部に亘って接着材などによって貼着されたり縫着されたりしてフード本体１１に固定される。フードスカート１８は、いわゆるケープ（肩掛け）であり、使用者の頸部の周囲及び肩部に亘る部分を覆う。フードスカート１８は、下端部に開口部を有すると共に下端部に向けてラッパ状に広がって形成される。また、フードスカート１８は、通気性及び速乾性を高めるために、例えばポリエステル繊維をメッシュ状に編み込みされて設けられる。
【００２３】
このように通気性及び速乾性に優れたメッシュ状のフードスカート１８を設けることにより、フードスカート１８の内部空間が蒸れることを抑制して、滅菌フード装置１０を快適に着用することが可能となる。また、使用者の頭髪、塵埃などの異物がフード本体１１の内部空間から外部空間に飛散するのをより確かに抑制することが可能となる。また、頸部での気密性を高めて、頸部からのフード本体１１の内部空間への空気の流入を防止することも可能となる。
なお、フードスカート１８の下側周縁部が上側に折り曲げられた上でその先端部が縫着され、糸挿通トンネルが形成されてもよい。この場合、この糸挿通トンネルに糸が通されてその糸の両端部が縛られることで頸部での気密性を更に高めることが可能となる。また、フードスカート１８はビニール素材などによって設けられてもよく、種々の素材、又はそれら複合体を適宜採用することも可能である。ビニール素材を採用した場合、製造コストを削減することが可能となる。
【００２４】
ファン１４及びヒータ１５は、下述するように排気管１３及びフード本体１１の内部に配置される。ファン１４は、排気管１３の吸入口から排気管１３の排気口に向けて空気を送る。ヒータ１５は、ファン１４によって送られる空気を加熱する。
【００２５】
＜排気管の内部構成について＞
次に図５を参照しながら、排気管１３の内部構成について説明する。図５は、図１に示す排気管１３の内部構成を説明する縦断面図である。
【００２６】
図５に示すように、筒状の排気管１３の内部にはファン１４及びヒータ１５が配設される。
【００２７】
ファン１４は、モータ１４Ａを含んで構成され、モータ１４Ａによって回転され、排気管１３の吸入口からフード本体１１の内部空間の空気を取り込んで、排気管１３の排気口に向けて空気流を発生させる。モータ１４Ａは例えば直流モータであり、ファン１４と共に送風装置として機能する。そして、ヒータ１５は、通電されることにより熱を発生し、ファン１４で発生された空気流を加熱して熱風に変換し、このとき空気に含まれるウイルスをその熱により死滅させる。ヒータ１５は、熱電線を含んで構成され、絶縁板１５Ａに巻回されて排気管１３の中空部に配置して固定される。
なお、ファン１４のモータ１４Ａ及びヒータ１５は、フード本体１１から露出して配設される電源ケーブル１９を通じて給電される（図２及び図４参照）。
【００２８】
＜滅菌フード装置１０のシステム構成について＞
次に図６を参照しながら、滅菌フード装置１０のシステム構成について説明する。図６は、図１に示す滅菌フード装置１０のシステム構成を説明するブロック図である。
【００２９】
図６に示すように、滅菌フード装置１０は、例えばマイクロプロセッサーで構成された制御部２０によって電気系統の全体が制御される。オンオフスイッチ２１のスイッチ状態は、電気的に検出されて制御部２０へ伝達される。制御部２０は、オンオフスイッチ２１のスイッチ状態に対応して各回路を制御する。制御対象は、主にモータ回路２２及びヒータ回路２３である。
【００３０】
ヒータ回路２３は、ヒータ１５に通電して一定の発熱状態を保つ回路である。制御部２０は、オンオフスイッチ２１がオン状態であるとき、ヒータ回路２３が機能するように制御する。モータ回路２２は、モータ１４Ａに通電してファン１４を一定の回転速度で回転させる回路である。制御部２０は、オンオフスイッチ２１がオン状態であるとき、モータ回路２２が機能するように制御する。
【００３１】
＜本実施形態に係る滅菌フード装置の利点について＞
以上説明したように本実施形態の滅菌フード装置１０によれば、本実施形態の滅菌フード装置１０は、使用者の頭部を覆うためのフード本体１１と、フード本体１１に形成される排気孔１２と、排気孔１２に連結してフード本体１１の内部の空気をその外部に排出するための排気管１３（排気路）と、排気管１３に取り付けられ、排気管１３の吸入口から排気管１３の排気口に向けて空気を送るためのファン１４と、排気管１３に取り付けられ、ファン１４によって送られる空気を加熱するためのヒータ１５と、を有する。
【００３２】
このため、排気管１３（排気路）に取り付けられ、排気管１３の吸入口から排気管１３の排気口に向けて空気の送るためのファン１４と、排気管１３に取り付けられ、ファン１４によって送られる空気を加熱するためのヒータ１５と、を有する。これにより、フード本体１１の内部空間の空気をその外部に排出する際、使用者が例えばウイルスに感染した場合でもその呼気を加熱してその呼気に含まれるウイルスを死滅させることができる。その結果、ウイルス感染者（使用者）の呼気に対しその呼気に含まれるウイルスを積極的に滅菌してウイルスの広がりを確かに防止することができると共にウイルス感染者の生活の質を損なうことなく可能な限り安全に日常生活を送らせることができる。
【００３３】
また、本実施形態の滅菌フード装置１０によれば、ヒータ１５は、熱電線を含んで設けられる。このため、ウイルス感染者（使用者）の呼気に対しその呼気に含まれるウイルスをより確かに死滅させることができる。
【００３４】
また、本実施形態の滅菌フード装置１０によれば、フード本体１１に形成され、フード本体１１の外部空間と内部空間との間を通気するための通気孔１６と、通気孔１６を被覆してフード本体１１に貼設されるフィルター１７と、を更に有する。このため、使用者の頭髪、塵埃などの異物がフード本体１１の内部空間から外部空間に飛散するのを抑制すると共に、使用者の息苦しさが発生するのを抑制して装置の快適性を高めることができる。
【００３５】
また、本実施形態の滅菌フード装置１０によれば、フード本体１１の下部に取り付けられ、少なくとも使用者の頸部の周囲を覆うためのフードスカート１８と、を更に有する。このため、使用者の頭髪、塵埃などの異物がフード本体１１の内部空間から外部空間に飛散するのをより確かに抑制することができる。また、頸部での気密性を高めて、頸部からのフード本体１１の内部空間への空気の流入を防止することができる。
【００３６】
以上で具体的実施形態の説明を終えるが、本開示はかかる例としての実施形態に限定されないことはいうまでもない。当業者であれば、実用新案登録請求の範囲に記載された範疇内において、各種の変更例、修正例、置換例、付加例、削除例、均等例に想到し得ることは明らかであり、それらについても当然に本開示の技術的範囲に属するものと了解される。また、考案の趣旨を逸脱しない範囲において、上述した実施形態における各構成要素を任意に組み合わせてもよい。
【符号の説明】
【００３７】
１０      ：滅菌フード装置
１１      ：フード本体
１１Ａ    ：開口部
１２      ：排気孔
１３      ：排気管
１４      ：ファン
１４Ａ    ：モータ
１５      ：ヒータ
１５Ａ    ：絶縁板
１６      ：通気孔
１７      ：フィルター
１８      ：フードスカート
１９      ：電源ケーブル
２０      ：制御部
２１      ：オンオフスイッチ
２２      ：モータ回路
２３      ：ヒータ回路
【図１】
0003229805.tif 000003
【図２】
0003229805.tif 000004
【図３】
0003229805.tif 000005
【図４】
0003229805.tif 000006
【図５】
0003229805.tif 000007
【図６】
0003229805.tif 000008